(57)【要約】      （修正有）【課題】転倒防止用の支持部材を収納することができる座椅子を提供する。【解決手段】一のフレーム部材が組まれた座部フレーム２と、他のフレーム部材が組まれ、座部フレーム２に連結した背もたれフレーム３と、座部フレーム２又は背もたれフレーム３に固定された転倒防止用の支持部材６と、座部フレーム２と背もたれフレーム３とを収納するカバー部材７と、を備える。支持部材６は、座部フレーム２又は背もたれフレーム３に対して回動自在に固定され、座部フレーム２又は背もたれフレーム３から突出可能で、かつ、座部フレーム２又は背もたれフレームに沿って収納可能に設けられている。【選択図】図１
0003191441.tif 000002
【実用新案登録請求の範囲】
【請求項１】
一のフレーム部材が組まれた座部フレームと、
他のフレーム部材が組まれ、前記座部フレームに連結した背もたれフレームと、
前記座部フレーム又は前記背もたれフレームに固定された転倒防止用の支持部材と、
前記座部フレームと前記背もたれフレームとを収納するカバー部材と、を備え、
前記支持部材は、前記座部フレーム又は前記背もたれフレームに対して回動自在に固定され、前記座部フレーム又は前記背もたれフレームから突出可能で、かつ、前記座部フレーム又は前記背もたれフレームに沿って収納可能に設けられていることを特徴とする座椅子。  
【請求項２】
前記座部フレームは、人を座らせた際の前後方向に平行に延びる第１縦フレームを少なくとも一対具備し、
前記背もたれフレームは、互いに平行に延びる第２縦フレームを少なくとも一対具備し、
前記支持部材は、前記一対の第１縦フレームの間又は前記一対の第２縦フレーム同士の間に収納可能に固定されていることを特徴とする請求項１に記載の座椅子。
【請求項３】
前記支持部材は、前記第１縦フレームの前記前後方向の中間部の位置に固定されていることを特徴とする請求項２に記載の座椅子。
【請求項４】
前記座部フレームは、前記第１縦フレームが湾曲し前記前後方向に揺動可能に形成されていることを特徴とする請求項２又は３に記載の座椅子。
【請求項５】
前記支持部材は、保護カバーにより被覆されていることを特徴とする請求項１から４のいずれか一項に記載の座椅子。
【請求項６】
前記カバー部材には前記支持部材を突出させる際に開閉する開閉部が形成されていることを特徴とする請求項１から５のいずれか一項に記載の座椅子。
【考案の詳細な説明】
【技術分野】
【０００１】
本考案は、転倒防止用の支持部材を備えた座椅子に関する。
【背景技術】
【０００２】
座椅子は、フローリング又は畳等の床面上に敷かれる座部と、座部に立設可能に連結された背もたれ部とを備え、人が床面に直接座る際に楽な姿勢で快適に座れるために広く用いられている（例えば、下記特許文献１）。
多くの座椅子の背もたれ部は、床面に対して予め所定の角度で設定されていたり、傾斜角度を多段階に変更できるリクライニング機能により、略直立した姿勢から半ば寝そべるようにリラックスした姿勢まで設定できるようになっていたりする。そして、座椅子は、背もたれ部の床面に対する傾斜角度を比較的小さくした状態で人を座らせた際に、座椅子及び人が背もたれ部側に転倒しないように、従来より転倒防止のストッパーを備えていることがある。
【先行技術文献】
【特許文献】
【０００３】
【特許文献１】特開２０１３−３４７８９号公報
【考案の概要】
【考案が解決しようとする課題】
【０００４】
ところで、特許文献１等の従来の座椅子は、転倒防止用のストッパーを座部の後端から常に突出させた構成となっていた。そのため、従来の座椅子のストッパーは、座椅子の機能美を損なうのみならず、ストッパーの不使用時には、無意味で邪魔な突起となり、周囲を歩くとき又は掃除の際等の障害となることがあるという問題があった。
そこで、本考案は、上記課題に鑑みて、転倒防止用の支持部材を収納することができる座椅子を提供する。
【課題を解決するための手段】
【０００５】
一のフレーム部材が組まれた座部フレームと、他のフレーム部材が組まれ、前記座部フレームに連結した背もたれフレームと、前記座部フレーム又は前記背もたれフレームに固定された転倒防止用の支持部材と、前記座部フレームと前記背もたれフレームとを収納するカバー部材と、を備え、前記支持部材は、前記座部フレーム又は前記背もたれフレームに対して回動自在に固定され、前記座部フレーム又は前記背もたれフレームから突出可能で、かつ、前記座部フレーム又は前記背もたれフレームに沿って収納可能に設けられていることを特徴とする。
この構成によれば、支持部材の不使用時に、支持部材を座部フレーム又は背もたれフレームに沿って、すなわち座部フレーム又は背もたれフレームが形成する仮想平面に沿って、この仮想平面から突出しないように収納することができる。
【０００６】
前記座部フレームは、人を座らせた際の前後方向に平行に延びる第１縦フレームを少なくとも一対具備し、前記背もたれフレームは、互いに平行に延びる第２縦フレームを少なくとも一対具備し、前記支持部材は、前記一対の第１縦フレームの間又は前記一対の第２縦フレーム同士の間に収納可能に固定されていることが好ましい。
この構成によれば、支持部材が第１フレーム又は第２フレームの枠間に収納されるため、座椅子がコンパクトになる。
【０００７】
前記支持部材は、前記第１縦フレームの前記前後方向の中間部の位置に固定されていることが好ましい。
この構成によれば、支持部材を突出させたときも支持部材を収納させたときも、支持部材が目立ちにくい。
【０００８】
前記座部フレームは、前記第１縦フレームが湾曲し前記前後方向に揺動可能に形成されていてもよい。
この構成によれば、支持部材を収納したときは座椅子を揺動させることができ、支持部材を突出させたときは、座椅子の揺動を停止させることができる。
【０００９】
前記支持部材は、保護カバーにより被覆されていてもよい。
この構成によれば、支持部材が床面を傷つけ難くなる。
【００１０】
前記カバー部材には前記支持部材を突出又は収納する際に開閉する開閉部が形成されていてもよい。
この構成によれば、支持部材の操作が容易となる。また、支持部材の収納時に支持部材を完全に隠すことができる。
【考案の効果】
【００１１】
本考案の座椅子は、機能美を高めるとともに、支持部材の不使用時に支持部材を収納することで、支持部材が座椅子の周辺において邪魔になることを防止することができるという効果を奏する。
【図面の簡単な説明】
【００１２】
【図１】本考案に係る座椅子の一実施形態を座部フレーム及び背もたれフレームを透視して示した斜視図である。
【図２】本考案に係る座椅子を示した底面図である。
【図３】本考案に係る座椅子を示した底面図である。
【図４】本考案に係る座椅子の一実施形態を座部フレーム及び背もたれフレームを透視して示した側面図である。
【図５】本考案に係る座椅子の一実施形態を座部フレーム及び背もたれフレームを透視して示した側面図である。
【図６】本考案に係る座椅子の一実施形態の変形例をカバー部材を省略して示した側面図である。
【図７】本考案に係る座椅子の一実施形態の変形例をカバー部材を省略して示した側面図である。
【図８】本考案に係る座椅子の一実施形態の変形例をカバー部材を省略して示した側面図である。
【図９】本考案に係る座椅子の一実施形態の変形例をカバー部材を省略して示した側面図である。
【図１０】本考案に係る座椅子の一実施形態の変形例を座部フレーム及び背もたれフレームを透視して示した斜視図である。
【図１１】本考案に係る座椅子の一実施形態の変形例を座部フレーム及び背もたれフレームを透視して示した斜視図である。
【図１２】本考案に係る座椅子の一実施形態の変形例を示した底面図である。
【考案を実施するための形態】
【００１３】
以下、図を参照して本考案に係る座椅子の一実施形態について説明する。
図１は、本考案の一実施形態として示した座椅子１の座部フレーム２及び背もたれフレーム３を透視して示した斜視図である。
【００１４】
図１に示すように、本考案の座椅子１は、床面上に載置される座部４の骨格となる座部フレーム２と、座部フレーム２の前後方向の後端８ｂ側に連結し、背もたれ部５の骨格となる背もたれフレーム３と、座部フレーム２又は背もたれフレーム３（本実施形態では背もたれフレーム３）に回転自在に取り付けられた転倒防止用の支持部材６と、座部フレーム２と背もたれフレーム３とを収納するカバー部材７とを備えている。そして、本考案の支持部材６は、座部フレーム２に略沿って収納自在に設けられている。
【００１５】
座部４は、座部フレーム２と、この座部フレーム２をクッション材（不図示。以下同様）と共に収容する座部カバー７ａとを備えている。
座部フレーム２は、人を座らせた際の幅方向両側に、平面視で前後方向に平行に配された一対の第１縦フレーム８，８と、前後方向に間隔を空けた複数の箇所で第１縦フレーム８，８同士を連結する第１横フレーム９，９・・とを備えている。
【００１６】
座部フレーム２は、金属管等の剛性の高い材質の管材（一のフレーム部材）を組んで形成されている。
第１横フレーム９，９同士の間は合成樹脂等で形成されたバンドＢが所定の間隔をおいて巻回されており、第１縦フレーム８，８の連結を補強するとともに、座部４及び背もたれ部５に弾性を持たせている。
【００１７】
不図示のクッション材としては、合成樹脂発泡体等が用いられている。
座部カバー７ａは、メッシュ生地等の布地，革，合皮を含んで形成されており、クッション材及び座部フレーム２の全体を覆っている。
【００１８】
座部カバー７ａには、図２，図３に示すように、支持部材６が収納される領域（後述する収納位置Ｓ）から支持部材６を取り出して突出させることができるように開閉部１０が形成されている。
開閉部１０は、線ファスナー，面ファスナー等のファスナー，スナップボタンその他の留め具（本実施形態では面ファスナー）１１により開閉自在となっており、開閉部１０を開けた際に支持部材６を取り出す開口部１２を形成する。
【００１９】
図１に示すように、第１縦フレーム８，８は、鉛直方向に径を有する円弧を描くように湾曲し、床面上に載置した際に湾曲形状に沿って揺動し得るように形成されている。
第１横フレーム９は、第１縦フレーム８，８の前端８ａ，８ａと、第１縦フレーム８，８の後端８ｂ，８ｂと、前端８ａと後端８ｂとの間の中間部であって、背もたれフレーム３を立設させる連結部１５に対して前端８ａ側に間隔を設けた位置に架設されている。
【００２０】
背もたれ部５は、背もたれフレーム３と、背もたれフレーム３をクッション材（不図示。以下同様）と共に収容する背もたれ部カバー７ｂとを備えている。
背もたれフレーム３は、人を座らせた際の幅方向両側に互いに平行に配された一対の第２縦フレーム２０，２０と、第２縦フレーム２０の延在方向に間隔を空けた複数の箇所で第２縦フレーム２０同士を連結する第２横フレーム２１とを備えている。
背もたれフレーム３は、金属管等の剛性の高い材質の管材（他のフレーム部材）を組んで形成されている。
【００２１】
第２縦フレーム２０は、下部フレーム２２と、中間フレーム２３と、上部フレーム２４とを有している。
下部フレーム２２，２２は、短尺に形成されたフレーム部材であり、一端において第１縦フレーム８，８の前後方向の後端８ｂ側に設けられた連結部１５に連結されて立設しているとともに、連結部１５近傍で第２横フレーム２１により連結されている。
【００２２】
この構成により、下部フレーム２２は、ぐらつきのない状態で座部フレーム２に固定され、背もたれ部５の基端部を頑丈に構成するとともに、座部フレーム２（乃至床面）に対する角度を決定している。また、背もたれ部５に人が体重を掛けて座部４を容易に揺動させることができるようになっている。
下部フレーム２２の他端は、背もたれ部５をリクライニングさせる公知の角度変更機構（ギア）３０を介して中間フレーム２３と連結されている。
【００２３】
中間フレーム２３，２３は、およそ座る人の腰部近傍から肩部近傍まで及ぶように、長尺に形成されたフレーム部材である。中間フレーム２３，２３同士は、長手方向に間隔を空けて複数箇所（本実施形態では３箇所）において巻回されたバンドＢと、中間フレーム２３の上端において第２横フレーム２１とにより連結されている。中間フレーム２３の上端と上部フレーム２４とは、角度変更機構（ギア）３０を介して連結されている。
【００２４】
上部フレーム２４，２４は、背もたれ部５の上端部を構成する短尺なフレーム部材である。上部フレーム２４，２４の一端は、角度変更機構３０を介して中間フレーム２３と連結している。上部フレーム２４，２４の他端は、端部において滑らかに湾曲した第２横フレーム２１により一体的に連結されている。上部フレーム２４の延在方向中間部には、バンドＢが巻回されている。
【００２５】
以上の構成の下に、背もたれフレーム３は、下部フレーム２２と中間フレーム２３との間、及び、中間フレーム２３と上部フレーム２４との間において、角度を適宜調整できるようにして座部フレーム２に立設されている。
【００２６】
背もたれ部５のクッション材及び背もたれ部カバー７ｂは、座部４のクッション材及び座部カバー７ａと同様の材質のものが用いられている。また、座部カバー７ａと背もたれ部カバー７ｂとは、一体的に形成されている。
【００２７】
支持部材６は、座部フレーム２の第１縦フレーム８に沿って配置される短尺な縦フレーム部材６ａ，６ａと、縦フレーム部材６ａ，６ａの他端同士を一体的に連結させる横フレーム部材６ｂとを備え、平面視略Ｕ字状に形成されている。
縦フレーム部材６ａ，６ａの長さ寸法は、連結部１５とこの連結部１５の前端８ａ方向直近に設けられた第１横フレーム９との間の寸法よりも小さく、また横フレーム部材６ｂの長さ寸法は、第１縦フレーム８，８間の寸法よりも小さく形成されている。
【００２８】
そして、支持部材６の一端は、図２に示すように、下部フレーム２２間を連結する第２横フレーム２１の下面２１ａに、公知の連結部材３１を用いて回動自在に固定され、支持部材６が第１縦フレーム８，８及び第１横フレーム９により形成される空間Ｓ内（すなわち収納位置Ｓ）に収容可能となっている。
【００２９】
また、支持部材６は、図４，図５に示すように、連結部１５を中心として、収納位置Ｓが設けられた座部フレーム２の前端８ａ側から、座部フレーム２の後端８ｂ側又はその反対方向（矢印Ｌ方向）に回動させることができるようになっている。支持部材６を連結部１５に対して後端８ｂ側に回転させた場合、支持部材６は、背もたれフレーム３の下部フレーム２２との間で角度θを形成している。また、支持部材６の先端６ｔは、座部フレーム２の第１縦フレーム８，８の下方に突出し、座部フレーム２の第１縦フレーム８，８による揺動が支持部材６により止められようになっている。
【００３０】
次に、座椅子１の使用方法並びに座椅子１の作用及び機能について説明する。
座椅子１は、図３，図４に示すように、支持部材６を収納位置Ｓに収容させた状態に設定すると、座部フレーム２により揺動自在となる。したがって、この状態でユーザが座椅子１に座ることにより、ユーザは、座椅子１を前後に揺らしながらリラックスして座ることができる。この際、背もたれ部５の座部４に対する角度は、角度変更機構３０によって適宜設定することができる。
【００３１】
座椅子１を揺動させずに座りたい場合には、ユーザは、図２に示すように、開閉部１０の留め具１１を開けて、同図及び図５に示すように、支持部材６を第１縦フレーム８の後端８ｂ側いっぱいに回動させる。そうすると、支持部材６は、カバー部材７及び第１縦フレーム８，８から下方に突出した状態で下部フレーム２２と角度θを以って固定される。
【００３２】
このように支持部材６を設定した座椅子１にユーザが座ると、ユーザの体重は、座部フレーム２と下部フレーム２２との間の連結部１５の近傍、すなわち座部フレーム２の後方寄りに掛かり、ユーザが背もたれ部５にもたれてしまうバランスとなる。そして、ユーザが体重を背もたれ部５に掛けると、座部フレーム２の湾曲で後方に揺動しようとするのであるが、支持部材６が床面Ｆに対して突っ張っているため、揺動することなく座部フレーム２及び背もたれフレーム３の傾きが一定の位置で定まりほぼ固定される。
【００３３】
そして、再び座椅子１を揺動させたい場合には、図３に示すように支持部材６を収納位置Ｓに収納して開閉部１０を閉じる。すなわち、座椅子１は、これを揺動させて用いる場合に不要な支持部材６を収納して、全体としてコンパクトにすることができる。
したがって、座椅子１は、座椅子１が占有する空間を徒に大きくすることなく可及的にコンパクトにして揺動することができ、又は、支持部材６を用いて揺動せずに安定することができるという効果を奏する。
【００３４】
また、座椅子１は、支持部材６が連結部１５の下方に設けられているため目立ちにくく、かつ、収納位置Ｓに収納することができるため、座椅子１としての機能美を向上させるという効果が得られる。
【００３５】
また、座椅子１は、支持部材６を用いない場合に、従来の座椅子１のように座部４又は背もたれ部５から余計な突出を発生させることがないため、座椅子１の周囲において邪魔になり難いという効果が得られる。
また、座椅子１は、カバー部材７に開閉部１０を有しているため、支持部材６を収納位置Ｓに収納した際に、支持部材６を完全に隠すことができ、座椅子１の外観性を高めるという効果を奏する。
【００３６】
なお、上記実施形態においては、支持部材６が下部フレーム２２の第２横フレーム２１に取り付けられた例を説明したが、本考案はこれに限られるものではなく、支持部材６は、座部フレーム２の第１縦フレーム８，８内側で、連結部１５近傍に回動自在に固定されたものであってもよい。要するに、支持部材６は、第１縦フレーム８，８の間（図４，図５参照）又は第２縦フレーム２０，２０の間（図６，図７参照）に支持部材６を収容できるように空間（収納位置）Ｓが形成され、支持部材６を回動させて収納位置Ｓから支持部材６を突出させた際に、座部フレーム２の後端８ｂ側下方に突出し、背もたれ部５に荷重がかかった際に座部フレーム２の揺動が止められる位置に取り付けられたものであればよい。
【００３７】
また、上記実施形態においては、座部フレーム２の第１縦フレーム８，８は湾曲した構成となっているが、座椅子１の第１縦フレーム８，８は、図８，図９に示すように、直線状に形成されたものであってもよい。この場合でも、支持部材６を上記実施形態と同様に構成し、支持部材６を第１縦フレーム８，８の前端８ａ側から後端８ｂ側又はその反対方向（すなわち矢印Ｌ方向）に回動させることにより、突出及び収納させることができる。そして、図８，図９に示す座椅子１も、背もたれ部５に荷重がかかった際に背もたれ部５が後方側に転倒することを防止することができるという効果が得られる。
【００３８】
また、上記実施形態において、支持部材６は、Ｕ字状に形成された例により説明したが、この形態に限定されるものではなく、図１０に示すように、Ｔ字状に形成された１又は複数の支持部６ｐ（一の支持部材６の例のみ図示）を備えたものであってもよい。また、支持部材６は、図１１に示すように、Ｕ字状に形成された複数の支持部６ｐ、６ｐを備えていてもよい。
要するに、本考案１の支持部材６は、背もたれ部５の連結部１５を中心とする回動方向への動きに対して突っ張り、背もたれ部５を支持し得るものであればどのような形状であってもよく、いくつで形成されていてもよい。
【００３９】
また、支持部材６は、図１２に示すように、保護カバー４０により全体が被覆されており、この保護カバー４０と共に収納位置Ｓ内に収納されるようになっていてもよい。又は、図示しないが、保護カバー４０は、支持部材６が床面と当接する部分にのみ被覆するものであってもよい。
このような構成の座椅子１は、支持部材６が当接する床面を保護することができるという効果を奏する。
【符号の説明】
【００４０】
１    座椅子
２    座部フレーム
３    背もたれフレーム
６    支持部材
７    カバー部材
８    第１縦フレーム
１０  開閉部
２０  第２縦フレーム
４０  保護カバー
【図１】
0003191441.tif 000003
【図２】
0003191441.tif 000004
【図３】
0003191441.tif 000005
【図４】
0003191441.tif 000006
【図５】
0003191441.tif 000007
【図６】
0003191441.tif 000008
【図７】
0003191441.tif 000009
【図８】
0003191441.tif 000010
【図９】
0003191441.tif 000011
【図１０】
0003191441.tif 000012
【図１１】
0003191441.tif 000013
【図１２】
0003191441.tif 000014